(57)【要約】【課題】ユーザ側で不揮発性記憶媒体に登録されたデータを、他者に盗み見られれない形態で消去できる機能を備えた通信端末装置を提供する。【解決手段】ユーザ登録データを書き換え可能に登録できる不揮発性記憶媒体１４を有した通信端末装置１において、ユーザ登録データ消去指令を受け付けると、それらの全てのデータを、所定値に上書きする完全消去処理を実行する、ユーザ登録データ消去制御手段１０を備えている。【選択図】図１
2007074196.tif 000002
【特許請求の範囲】
【請求項１】
ユーザ登録データを書き換え可能に登録できる不揮発性記憶媒体を有した通信端末装置において、
ユーザ登録データ消去指令を受け付けると、
それらの全てのデータを、所定値に上書きする完全消去処理を実行する、ユーザ登録データ消去制御手段を備えた通信端末装置。
【請求項２】
請求項１において、
上記不揮発性記録媒体には、通信先登録や通信記録を記憶するユーザ領域と、その他のデータを登録しているシステム領域が設定されており、
上記ユーザ登録データ消去制御手段は、
一括消去指令を受け付けたときには、上記ユーザ領域に記憶された全てのデータを、上記所定値に上書きすることを特徴とする通信端末装置。
【請求項３】
請求項１、２において、
上記ユーザ登録データ消去制御手段は、
上記ユーザ領域に記憶されたデータのうちから、上記通信先登録、通信記録などの種別を選択し、選択された種別の全データを、上記所定値に上書きすることを特徴とする通信端末装置。
【発明の詳細な説明】
【技術分野】
【０００１】
本発明は、ユーザが使用する際に登録設定したデータを完全消去できる、新規なセキュリティ機能を有した通信端末装置に関する。
【背景技術】
【０００２】
従来より、ファクシミリ装置などの電子機器には不揮発性記憶媒体を備え、そこに通信先、短縮ダイヤルなどのユーザ固有のユーザ登録データを記憶し、この登録データの内容に基づいて、ファクシミリ送受信、原稿画像の読み取りなどといった、諸機能を円滑に実行できるようにしている。
【特許文献１】特開２００３−７８６６１号公報
【発明の開示】
【発明が解決しようとする課題】
【０００３】
ところで、このようなユーザ登録データは通信装置を譲渡したり、廃棄したりする際には消去されることが望まれるが、消去操作を行っても完全に消去されるわけではなく、データ上に消去フラグをたて、当該データの読み込みをさせない手法を取っている。
そのため、装置を譲渡したり、廃棄した場合には、当該データを読み出し、盗み見られる可能性があり、それらについては何らの対策もなされていないのが通例であった。
【０００４】
本発明は、このような問題を解決するために提案されるものであり、不揮発性記憶媒体に、ユーザ側で登録されたデータを意味のないデータに上書することで読み取り不能にして、セキュリティ性を向上させた通信端末装置を提供することを目的とする。
【課題を解決するための手段】
【０００５】
上記目的を達成するため、本発明の請求項１では、ユーザ登録データ消去指令を受け付けると、それらの全てのデータを、所定値に上書きする完全消去処理を実行する、ユーザ登録データ消去制御手段を備えている。
【０００６】
請求項２では、不揮発性記録媒体には、通信先登録や通信記録を記憶するユーザ領域と、その他のデータを登録しているシステム領域が設定されており、ユーザ登録データ消去制御手段は、一括消去指令を受け付けたときには、ユーザ領域に記憶された全てのデータを、上記所定値に上書きすることを特徴とする。
【０００７】
請求項３では、ユーザ登録データ消去制御手段は、ユーザ領域に記憶されたデータのうちから、通信先登録、通信記録などの種別を選択し、選択された種別の全データを、上記所定値に上書きすることを特徴とする。
【発明の効果】
【０００８】
本発明によれば、以下の効果を奏する。
【０００９】
請求項１〜３によれば、ユーザ登録データ消去指令を受け付けると、それらの全てのデータを所定値で上書きするので、後に当該登録データを読み出しても、意味のないデータになっているのでセキュリティ上で有益である。
【００１０】
特に、請求項２によれば、ユーザ側で一括消去を指令すれば、登録したすべてのユーザ登録データのみを完全に消去させることができ、装置の作動に必要なシステム領域の登録データを消去から保護することができる。
【００１１】
また、請求項３によれば、ユーザ側で一括消去できる登録データを種別毎に吟味して消去できるので利便であり、全データをうっかりと消去してしまうことがない。
【発明を実施するための最良の形態】
【００１２】
以下に、本発明の実施の形態について説明する。なお、本発明は、ファクシミリ装置、複写機、スキャナ、プリンタなどの機能のうち、少なくとも２以上の機能を組み合わせた複合機にも適用することができる。
【実施例１】
【００１３】
図１は、本発明の通信端末装置の要部構成の一例を示すブロック図である。
【００１４】
この装置１は、ユーザ登録データ消去制御手段を構成し、この装置１を制御するＣＰＵ１０、電話回線Ｌに対する接続制御を行うＮＣＵ１１、ファクシミリ通信に必要な各種信号の変復調を行うモデム１２、ＲＡＭ１３、不揮発性記憶媒体で構成され、後述するように、システム領域とユーザ領域とを備えているフラッシュＲＯＭ１４、画像データを一時的に格納する画像メモリ１５、読み取りのためセットされた原稿を読み取り、画像データを形成するスキャナ１６、ユーザ登録データ消去キー１７Ａを有する表示操作部１７、プリンタ１８、演算処理装置をネットワークを介して接続するインタフェース１９を備えている。
【００１５】
図２は、不揮発性記憶媒体を構成するフラッシュＲＯＭの一例を示す図である。なお、このフラッシュＲＯＭ１４は、不揮発性メモリの一種であり、本発明では、ハードディスク、メモリ、ＳＲＡＭなどの登録データが上書き可能な記憶媒体を適用することができる。
【００１６】
フラッシュＲＯＭ１４は、システム領域１４Ａとユーザ領域１４Ｂとに区分されており、それぞれの領域は、アドレスを有している。
【００１７】
システム領域１４Ａには、この装置１が動作するための制御プログラムなどや、ユーザ登録データ完全消去のためのプログラムが含まれており、ユーザ領域１４Ｂには、通信先登録、通信記録など、ユーザ固有のユーザ登録データが格納される。
【００１８】
消去キー１７Ａを操作すると、ＣＰＵ１０は、ユーザ登録データ消去指令を受け付ける。
すると、フラッシュＲＯＭ１４のうちシステム領域１４Ａに格納されたユーザ登録データ完全消去のためのプログラムを読み出してＲＡＭ１３に書き込む。
【００１９】
ついで、ＣＰＵ１０は、ＲＡＭ１３に書き込んだユーザ登録データ完全消去プログラムに基づいて、ユーザ領域１４Ｂの登録データの上書き処理を行う。
【００２０】
すなわち、ＣＰＵ１０は、ユーザ領域を規定するアドレス（Ｍ〜Ｎ）をアクセスし、そのデータを所定値、例えば、デジタル値「１」または「０」に書き換える。
【００２１】
このような完全消去処理を図３とともに更に詳述する。
【００２２】
図３（ａ）は、ユーザ登録データとしてユーザ領域１４Ｂに登録された通信先登録情報、図３（ｂ）は、通信記録の一例を示している。
【００２３】
図３（ａ）に示す通信先登録情報は、通信先名称ａ、通信先ダイヤル番号ｂを含んでおり、図３（ｂ）に示す通信記録には、通信先名称ａ、通信先ダイヤル番号ｂ、通信種別ｃ、通信日付ｄが含まれている。
【００２４】
本発明によれば、このようなユーザ登録データを完全消去することができ、そのためには、消去キー１７Ａを操作する。
すると、ＣＰＵ１０はユーザ登録データ消去指令を受け付け、システム領域１４Ａに格納されたユーザ登録データ完全消去のためのプログラムに基づいて、ユーザ領域を規定するアドレス（Ｍ〜Ｎ）をアクセスしてユーザ領域１４Ｂをアクセスし、ここに、所定値、ここでは、「１」で規定されるデジタル値を書き込む（図３（ｃ）参照）。
【００２５】
本発明では、このような方法で、ユーザ登録データは全て、意味のないデジタル値「１」に書き換えられるために、後にユーザ登録データの内容を盗み見られることが防止でき、セキュリティの向上を確保できる。
【００２６】
以上では、消去キー１７Ａを操作するだけで、ユーザ登録データのすべてを一括して消去する例を示したが、ユーザ登録データを、通信先登録情報、通信記録などといった種別に区分し、それらを別の選択キーや選択操作によって選択して消去できるようにしてもよく、そのようなものでは、うっかりすべての
ユーザ登録データを消去してしまうことなく、消去操作の前に、データ種別毎に確認して消去することが出来る。
【図面の簡単な説明】
【００２７】
【図１】本発明の通信端末装置の要部構成の一例を示すブロック図
【図２】不揮発性記憶媒体の一例を示す図
【図３】ユーザ登録データの完全消去処理について説明するための図
【符号の説明】
【００２８】
１  通信端末装置
１０  ユーザ登録データ消去制御手段（ＣＰＵ）
１４  フラッシュＲＯＭ
【図１】
2007074196.tif 000003
【図２】
2007074196.tif 000004
【図３】
2007074196.tif 000005